(57)【要約】      （修正有）【課題】容器の入口に結合された状態で、容器入口の開度を調節することができ、容器から排出される内容物の量を調節する。【解決手段】容器１の入口２にねじ式で分離可能に結合される回転体１０と、回転体１０の一側に一端が連結され、容器１の入口２を開閉する蓋２０と、蓋２０が容器１の入口２を閉鎖するように、蓋２０に形成され、容器１の入口２に挿入固定される挿入部３０と、蓋２０の一端を回転体１０の一側に連結させ、蓋２０の開閉動作を支持するヒンジ部４０と、蓋２０に形成され、蓋２０の開度が調節されるように、回転体１０の回転により、容器１の入口２に加圧される加圧部５０と、を備える。【選択図】図５
2016222346.tif 000002
【特許請求の範囲】
【請求項１】
容器１の入口２にねじ式で分離可能に結合される回転体１０と、回転体１０の一側に一端が連結され、容器１の入口２を開閉する蓋２０と、蓋２０が容器１の入口２を閉鎖するように、蓋２０に形成され、容器１の入口２に挿入固定される挿入部３０と、蓋２０の一端を回転体１０の一側に連結させ、蓋２０の開閉動作を支持するヒンジ部４０と、蓋２０に形成され、蓋２０の開度が調節されるように、回転体１０の回転により、容器１の入口２に加圧される加圧部５０と、を備え、
容器１の入口２は、外周面に雄ねじ山が形成され、
回転体１０は、管体状に形成されるとともに、内周面に入口２の雄ねじ山に対応する雌ねじ山が形成され、
蓋２０は、その周縁に容器１の入口２の外側に挟持される外側段２１が形成され、
外側段２１は、入口２の外径よりも大きな内径を有する管体状に形成され、
挿入部３０は、管体状に形成されるとともに、下端から上端に行くほど、外径が次第に大きくなり、
ヒンジ部４０は、弾性を有し、
蓋２０に加えられる外圧により、回転体１０から蓋２０が分離されるように、蓋２０の外周縁と回転体１０の内周縁を分離可能に連結する分離部６０を有し、
分離部６０は、蓋２０の外周縁及び回転体１０の内周縁を連結するとともに、蓋２０や回転体１０の厚さよりも薄い厚さに形成され、
加圧部５０は、ヒンジ部４０と挿入部３０との間に形成されることを特徴とする容器蓋。
【発明の詳細な説明】
【技術分野】
【０００１】
本発明は、容器の入口に結合された状態で、容器入口の開度を調節することができる容器蓋に関する。
【背景技術】
【０００２】
一般に、飲料水や薬液が収容された容器には、蓋が結合されている。このような蓋は、通常、プレスで圧入され、容器の端部に結合される。この場合、蓋を容器から分離すると、蓋を容器に再結合させることができない。したがって、内容物を再使用するためには、使用者が蓋を開閉することができなければならない。
【０００３】
このため、蓋の内部に雌ねじ部を形成し、雄ねじ部が形成された容器の入口に結合させてもよい。このような蓋は、使用者が時計方向または反時計方向に回すことにより、容器の入口を開閉することができる。
【０００４】
しかしながら、上述した蓋は、容器の入口から完全に分離されなければ、容器に充填された内容物を外部に排出できないので、容器の入口を少しずつ開放して、内容物の排出量を調節することはできないという問題点があった。
【０００５】
本発明の背景技術は、下記の特許文献１に開示されている。
【先行技術文献】
【特許文献】
【０００６】
特許文献１：大韓民国公開特許第１０‐２００５‐０１０３６６８号公報（２００５．１１．０５.）
【発明の概要】
【発明が解決しようとする課題】
【０００７】
本発明は、上記問題点に鑑みなされたものであり、その目的は、容器の入口に結合された状態で、容器入口の開度を調節することができる容器蓋を提供することにある。
【０００８】
本発明の他の目的は、容器の入口から分離され、容器の入口を完全に開放し、または容器の入口に結合された状態で、容器入口の開度を調節することができる容器蓋を提供することにある。
【課題を解決するための手段】
【０００９】
上述した目的を達成するために、本発明の一実施例による容器蓋は、容器１の入口２にねじ式で分離可能に結合される回転体１０と、回転体１０の一側に一端が連結され、容器１の入口２を開閉する蓋２０と、蓋２０が容器１の入口２を閉鎖するように、蓋２０に形成され、容器１の入口２に挿入固定される挿入部３０と、蓋２０の一端を回転体１０の一側に連結させ、蓋２０の開閉動作を支持するヒンジ部４０と、蓋２０に形成され、蓋２０の開度が調節されるように、回転体１０の回転により、容器１の入口２に加圧される加圧部５０と、を備えることを特徴とする。
【００１０】
好ましくは、蓋２０は、その周縁に容器１の入口２の外側に挟持される外側段２１が形成されることを特徴とする。
【００１１】
好ましくは、挿入部３０は、管体状に形成されるとともに、下端から上端に行くほど、外径が次第に大きくなることを特徴とする。
【００１２】
好ましくは、蓋２０の外周縁が、回転体１０の内周縁から、外圧により分離される分離部６０が形成されることを特徴とする。
【００１３】
好ましくは、ヒンジ部４０は、弾性を有することを特徴とする。
【００１４】
好ましくは、蓋２０に加えられる外圧により、回転体１０から蓋２０が分離されるように、蓋２０の外周縁と回転体１０の内周縁を分離可能に連結する分離部６０を有することを特徴とする。
【００１５】
好ましくは、加圧部５０は、ヒンジ部４０と挿入部３０との間に形成されることを特徴とする。
【発明の効果】
【００１６】
本発明によれば、容器の入口に結合された状態で、容器入口の開度を調節することができ、容器から排出される内容物の量が調節される。
【００１７】
また、容器の入口から分離され、容器の入口を完全に開放し、または容器の入口に結合された状態で、容器入口の開度を調節することができ、選択的な使用が可能である。
【図面の簡単な説明】
【００１８】
【図１】本発明の一実施例による容器蓋が容器の入口に結合された状態を示す斜視図である。
【図２】本発明の容器蓋が開放された状態を示す斜視図である。
【図３】本発明の容器蓋が容器から分離された状態を示す斜視図である。
【図４】本発明の容器蓋が容器の入口を閉鎖した状態を示す断面図である。
【図５】本発明の容器蓋が容器の入口を少し開放した状態を示す断面図である。
【図６】本発明の容器蓋が容器の入口を完全に開放した状態を示す断面図である。
【発明を実施するための形態】
【００１９】
以下、添付した図面を参照して、本発明による好適な実施例について詳述する。
【００２０】
図１乃至図３に示すように、本発明の一実施例による容器蓋は、回転体１０、蓋２０、挿入部３０、ヒンジ部４０、加圧部５０を有する。
【００２１】
先ず、容器１は、飲用水のような内容物が充填されるガラス瓶やペットボトルであってもよい。前記容器１は、内容物が充填または排出される入口２の外周面に、雄ねじ山が形成されてもよい。
【００２２】
回転体１０は、容器１の入口２にねじ式で分離可能に結合されるものであり、管体状に形成されるとともに、内周面に雌ねじ山が形成されてもよい。したがって、回転体１０は、容器１の入口２にねじ式で結合される。また、回転体１０は、正回転することにより、容器１の入口２に沿って下降し、逆回転することにより上昇する。
【００２３】
蓋２０は、回転体１０の上端の一側に一端が連結され、容器１の入口２を開閉するものであり、板材状に形成される。
【００２４】
ここで、本発明は、蓋２０に加えられる外圧により、回転体１０から蓋２０が分離されるように、蓋２０の外周縁と回転体１０の内周縁を分離可能に連結する分離部６０を有する。前記分離部６０は、蓋２０の外周縁と回転体１０の内周縁を連結するとともに、蓋２０や回転体１０の厚さよりも薄い厚さに形成される。すなわち、蓋２０に加えられる外圧により、回転体１０から蓋２０が分離される。このため、蓋２０は、外圧が加えられる前は、回転体１０に一体に連結された状態が維持される。
【００２５】
また、蓋２０は、その周縁に容器１の入口２の外側に挟持される外側段２１が形成される。前記外側段２１は、容器１の入口２が挿入されるように、入口２の外径よりも、少し大きい内径を有する管体状に形成される。このため、外側段２１が、容器１の入口２の外側に挟持されることにより、入口２の外側が堅固に閉鎖される。
【００２６】
挿入部３０は、蓋２０が容器１の入口２を閉鎖するように、蓋２０の下部に形成され、容器１の入口２に挿入固定されるものであり、管体状に形成されるとともに、下端から上端に行くほど、外径が次第に大きくなることが好ましい。すなわち、挿入部３０の外周面に傾斜面３１が形成される。このため、挿入部３０は、外圧により容器１の入口２の内側に無理やり挿入されて固定される。
【００２７】
ヒンジ部４０は、蓋２０の一端を回転体１０の一側に連結させ、蓋２０の開閉動作を支持するものであり、射出成形により、回転体１０及び蓋２０の厚さよりも薄いとともに、直線状に形成される。このとき、ヒンジ部４０は、射出成形により、回転体１０及び蓋２０に一体形成され、弾性を有する。すなわち、ヒンジ部４０の弾性により、蓋２０が容器１の入口２を弾力的に閉鎖することができる。
【００２８】
このため、回転体１０が正回転すると、容器１の入口２に蓋２０が加圧され、ヒンジ部４０を軸として開放される。このとき、ヒンジ部４０の弾性により、蓋２０が容器１の入口２を所定の角度で開放することになる。また、回転体１０が逆回転すると、ヒンジ部４０の弾性により、蓋２０が容器１の入口２を無理やり閉鎖することになる。
【００２９】
ヒンジ部４０により、回転体１０と蓋２０が連結されているので、蓋２０がヒンジ部４０を軸として回転され、回転体１０の上部を開閉することができる。
【００３０】
加圧部５０は、蓋２０の下部に形成され、蓋２０の開度が調節されるように、回転体１０の回転により、容器１の入口２に加圧されるものであり、ヒンジ部４０と挿入部３０との間に平らに形成されることが好ましい。このため、回転体１０が回転することにより、加圧部５０が容器１の入口２に支持された状態で、入口２に沿って移動しながら、入口２の上端に加圧されるので、蓋２０がヒンジ部４０を軸として回転され、容器１の入口２を開放させることができる。
【００３１】
以下、本発明による容器蓋の作用及び効果について説明する。
【００３２】
図４乃至図６に示すように、回転体１０が内容物が充填された容器１の入口２に螺合された状態で、回転体１０を正回転させると、蓋２０の下部面が入口２の上端に密着する。
【００３３】
また、回転体１０をさらに回転させると、回転体１０が容器１の入口２に沿って下降するので、入口２の上端に加圧部５０が少し加圧することになる。加圧部５０が加圧されるので、分離部６０が分離される。すなわち、回転体１０から蓋２０が分離され、蓋２０がヒンジ部４０を軸として上下方向に回転可能な状態となる。
【００３４】
また、回転体１０をさらに回転させると、蓋２０がヒンジ部４０を軸として上方に回転され、緩慢に傾斜した状態となるので、容器１の入口２が少し開放される。ここで、挿入部３０及び外側段２１が容器１の入口２の内側及び外側から分離される。このとき、ヒンジ部４０の弾性により、蓋２０の傾斜した状態が堅固に維持される。この状態で、容器１を傾けると、容器１に充填された内容物が少しずつ排出される。
【００３５】
続いて、回転体１０をもうさらに回転させると、回転体１０が容器１の入口２に沿ってさらに下降するので、入口２の上端に加圧部５０がさらに加圧される。このとき、蓋２０は、ヒンジ部４０を軸として上方にさらに回転され、急に傾斜した状態となり、容器１の入口２が以前よりも広く開放される。この状態で、容器１を傾けると、容器１から多量の内容物が排出される。
【００３６】
もちろん、回転体１０を完全に回転させると、蓋２０が回転され、垂直状態をなし、容器１の入口２を完全に開放させる。すなわち、容器１の入口２から回転体１０を分離させなかった状態で、容器１の入口２を完全に開放させることができる。
【００３７】
このように、本発明は、回転体１０を回転させる程度により、蓋２０の開度が調節されるので、内容物の排出量が調節される。また、容器１の入口２から回転体１０が分離されなかった状態で、蓋２０だけが開放され、蓋２０を紛失する恐れがない。
【００３８】
また、回転体１０を逆回転させ、回転体１０の上端と入口２の上端との高さが一致されると、ヒンジ部４０の弾力により、蓋２０が下方に回転され、容器１の入口２を閉鎖することになる。このとき、挿入部３０が入口２の内側に挿入されて固定され、外側段２１が入口２の外側に挟まれて結合されるので、蓋２０が容器１の入口２を閉鎖する状態が堅固に維持される。
【００３９】
また、回転体１０が容器１の入口２にねじ式で結合されるので、必要に応じて、本発明の分離及び交替が容易になり、他の容器蓋も螺合して用いられてもよい。
【００４０】
このように、本発明は、容器１の入口２を完全に開放し、または容器１の入口２において結合された状態で、入口２の開度を調節し、容器１から排出される内容物の量を調節することができるので、容器蓋に適用されて広く用いられ得る極めて有用な発明であると言える。
【００４１】
以上、本発明の詳細な説明において、具体的な実施例について説明したが、本発明の範囲から逸脱しない範囲内で、様々な変形が可能であることは言うまでもない。したがって、本発明の範囲は、上述した実施例により定められてはならず、後述する特許請求の範囲のみならず、その均等物によって定められなければならない。
【符号の説明】
【００４２】
１    容器
２    入口
１０    回転体
２０    蓋
３０    挿入部
３１    傾斜部
２１    外側段
４０    ヒンジ部
５０    加圧部
６０    分離部
【図１】
2016222346.tif 000003
【図２】
2016222346.tif 000004
【図３】
2016222346.tif 000005
【図４】
2016222346.tif 000006
【図５】
2016222346.tif 000007
【図６】
2016222346.tif 000008